(57)【要約】本発明は、入力信号を記憶するための第一の電気手段、記憶された入力信号のリアルタイム処理の第二の手段、処理された信号を記憶する第三の電気手段を有する信号処理システムに関する。本システムは、本発明によれば、第二の処理手段それ自身が、前記入力信号に印加されるオフライン信号エンハンスメント手段であって、強調された信号を伝達し、第二の処理手段により処理された信号を記憶する第三の手段に記憶するため、リアルタイム又はオンライン処理のために使用されていない利用可能な処理リソースを使用するオフライン信号エンハンスメント手段を有することを特徴とする。また、信号エンハンスメント手段は、強調された信号を変更する手段を有し、処理された信号を記憶する第三の電気手段は、変更された強調された信号を記憶することができ、処理された信号を記憶する第三の電気手段は、リアルタイムで強調された信号及び／又は変更され強調された信号を出力するために提供される場合がある。
2007526707.tif 000002
【特許請求の範囲】
【請求項１】
入力信号を記憶する第一の電気手段、記憶された入力信号をリアルタイムで処理するための第二の手段、処理された信号を記憶する第三の電気手段を有する信号処理システムであって、
第二の処理手段自身が、前記入力信号に印加されるオフライン信号エンハンスメント手段であって、強調された信号を伝達し、該強調された信号を前記第二の処理手段により処理された信号を記憶する前記第三の手段に記憶するため、リアルタイム又はオンライン処理のために使用されていない利用可能な処理リソースを使用するオフライン信号エンハンスメント手段を有する、
ことを特徴とする信号処理システム。
【請求項２】
前記エンハンスメント手段は、前記強調された信号を変更する手段を有し、
前記処理された信号を記憶するための前記第三の電気手段は、変更された強調された信号を記憶可能である、
請求項１記載の信号処理システム。
【請求項３】
前記処理された信号を記憶するための前記第三の電気手段は、強調された信号及び／又は変更された強調された信号をリアルタイムで出力するために提供される、
請求項１又は２記載の信号処理システム。
【請求項４】
前記信号エンハンスメント手段は、１以上のオフライン処理機能を有し、該機能の量、品質及び組み合わせは、利用可能な処理能力に依存する、
請求項１記載の信号処理システム。
【請求項５】
前記信号エンハンスメント手段は、１以上のオフライン処理機能を有し、該機能の量、品質及び組み合わせは、リアルタイムの制約に依存する、
請求項１記載の信号処理システム。
【請求項６】
前記記憶手段は、ホームビデオ記録システムのビデオ記憶装置であり、オフライン信号エンハンスメント機能を実現するために使用されるプロセッサは、記憶された入力信号のリアルタイム処理の第二の手段のプログラム可能な部分である、
請求項１記載の信号処理システム。
【発明の詳細な説明】
【技術分野】
【０００１】
本発明は、受信された入力信号のリアルタイム処理の手段を有する信号処理システムに関する。
【背景技術】
【０００２】
信号の少なくとも１つの機能をエンハンスする処理装置は、たとえば米国特許第４，８３９，８３６号（ＰＨＦ８６５１９）に記載されている。かかる文献では、より詳細には、連続する画像の主要な品質を改善するため、画像の輪郭、特にテレビ画像におけるクロミナンス又はルミナンスの輪郭を強調することが提案されている（しかし、他の技術分野では、更に一般的なやり方で、かかる原理は有効であることが明らかである）。
【０００３】
より正確には、この特定の処理装置の主要なステージは、サンプリングされた入力信号の導関数及び導関数の符号を計算するための回路、正規化回路、正規化された値の前後に集中される多項式の変換を実行する回路、正規化回路の出力で、信号の最初のダイナミクスを回復することができることによる逆正規化回路であり、適切な同期は、これら様々な動作の間で実行される。しかし、入力信号を処理するこのやり方がリアルタイム、オンラインでの使用に対応することが観察される。
【発明の開示】
【発明が解決しようとする課題】
【０００４】
したがって、本発明の目的は、この使用のタイプにより制限されない信号処理システムを提案することにある。
【課題を解決するための手段】
【０００５】
上記目的のため、本発明は、入力信号を記憶する第一の電気手段、このように記憶された入力信号のリアルタイム処理のための第二の手段、このように処理された信号を記憶する第三の電気手段を有しており、かかるシステムは、第二の処理手段自身が、前記入力信号に印加されるオフライン信号エンハンスメント手段であって、強調された信号を伝達し、第二の処理手段により処理された信号を記憶する第三の手段に記憶するため、リアルタイム又はオンライン処理のために使用されていない利用可能な処理リソースを使用するオフライン信号エンハンスメント手段を有することを特徴とする。
【０００６】
本発明の別の有利な実施の形態では、本発明は、前記エンハンスメント手段が前記強調された信号を変更する手段を有する信号処理システムに関し、処理された信号を記憶するための前記第三の電気手段は、このように変更された強調された信号を記憶可能である。
【０００７】
本発明の別の実施の形態では、処理された信号を記憶するための前記第三の電気手段は、強調された信号及び／又は変更された強調された信号をリアルタイムで出力するために提供される場合がある。
【０００８】
本発明の好適な実施の形態では、前記信号エンハンスメント手段は、１以上のオフライン処理機能を有し、その量、品質及び組み合わせは、たとえば、利用可能な処理能力に依存するか、又は別の例では、リアルタイムの制約に依存する。
【０００９】
本発明の好適な応用では、前記記憶手段は、ホームビデオ記録システムのビデオ記憶装置であり、オフライン信号エンハンスメント機能を実現するために使用されるプロセッサは、記憶された入力信号のリアルタイム処理の第二の手段のプログラム可能な部分である。本発明は、添付図面を参照して、例示を通して記載される。
【発明を実施するための最良の形態】
【００１０】
提案される発明は、たとえばビデオ及び／又はオーディオ信号のケースで図１に例示されている。このように例示される実施の形態は、入力信号ＩＳ１を受けて出力信号ＯＳ１を伝達するストレージユニット１０（ＳＴＯ）、前記ストレージユニット１０から原信号ＧＳ１を受け、本発明に係る特定の処理を実行した後に、強調された信号ＨＳ１を伝達する処理ユニット２０（ＰＲＯ）を含むシステムの構成である。ストレージユニット１０は、（このケースでは、ビデオ及び／又はオーディオデータである）入力データを記憶し、処理ユニット２０は、本発明によれば、後の使用のため、記憶された信号を自発的に強調し、このように強調された信号を記憶する。このオフラインのエンハンスメントは、利用可能な処理リソースを使用して実行され、この処理リソースは、リアルタイム又はオンラインで利用されない、たとえばオンライン処理後に利用可能な処理電力、又は利用可能な処理時間である。前記オフライン処理の量及び品質は、本発明の重要な態様である計算上のスケーラビリティの改善された概念に従って、利用可能なリソースの量（処理パワー又は時間）に依存する。
【００１１】
図２に例示される別の実施の形態では、記憶装置は、ここでは２つのストレージユニット１１１及び１１２を含んでおり、第一のストレージユニットは、入力信号ＩＳ２を受信し、第二のストレージユニットは、出力信号ＯＳ２を伝達する。処理ユニット１２０は、ストレージユニット１１１から原信号ＧＳ２を受信し、それを処理し、処理機能は、通信リンクＣＬ１により受信された制御パラメータＣＰを使用して前記処理ユニット１２０で実行され、必要とされる場合、外部のデータベースＥＤからのデータは、通信リンクＣＬ２により前記処理ユニット１２０に接続される。処理ユニット１２０は、前記処理動作の後、強調された信号ＨＳ２を伝達し、導出された信号ＤＳ２を追加する場合がある。制御パラメータＣＰは、それぞれの瞬間及び／又はリアルタイム要件で利用可能な処理パワーに依存して、処理ユニット１２０における信号処理機能の量、品質及び組み合わせを定義する。
【００１２】
本発明は、マルチメディアを受信、記憶、処理及び／又は送信する何れかのシステム、すなわち、たとえば雑音の低減、画像の安定改善、広告の除去、ビデオフォーマット変換、鮮鋭度の強調、階層符号化等のような機能を実行する埋め込み式又は統合された記憶装置をもつマルチメディア機器で使用することができ、かかる例は、本発明の範囲を制限するものではないが、その広い範囲の例示のみである。
【００１３】
図２の実施の形態のケースで生成された導出された信号は、要約の生成、コンテンツの分類、エンハンスメントレイヤ生成（強調された信号ＨＳ２と原信号ＧＳ２との間の差はエンハンスメントレイヤとして記憶される）等のような補助的な用途向けに使用される場合がある。
【００１４】
処理ユニットは、機能に特化したハードウェアを持つソフトウェアプログラマブルプロセッサ、又は機能に特化したハードウェアを持たないソフトウェアプログラマブルプロセッサであることが好ましい。本発明に係る構造の可能性のあるアプリケーションの幾つかは、ネットワークを通して最適な送信のためにデータを強調及び記録するホームサーバ、インターネットからデータをダウンロードし、使用の前に結果を強調するインターネットレコーダ、ブロードキャストを記憶し、視聴前に強調又は要約するためのビデオレコーダである場合がある。全てのこれらアプリケーションは、容易にアップグレード可能であるか又はソフトウェアアップデートを介して拡張可能である。
【００１５】
なお、ハードウェア又はソフトウェア若しくはその両者のアイテムにより機能を実現する異なるやり方が存在する。この点において、図面が非常に図解的であり、それぞれの図は、本発明の１つの可能な実施の形態のみを表している。したがって、図面は異なるブロックとして異なる機能を示しているが、これは、ハードウェア又はソフトウェアの１つのアイテムが幾つかの機能を実行することを決して排除するものではない。また、ハードウェア、ソフトウェア若しくはその両者のアイテムのアセンブリが機能を実行することを排除しない。また、詳細な説明は、添付図面を参照して、本発明を制限するよりはむしろ例示するものであることは明らかである。特許請求の範囲に含まれる様々な代替が存在する。単語「有する“ｃｏｍｐｒｉｓｉｎｇ”」は、請求項で列挙された以外のエレメント又はステップの存在を排除するものではない。エレメント又はステップに先行する単語“ａ”又は“ａｎ”は、複数のかかるエレメント又はステップの存在を排除するものではない。
【図面の簡単な説明】
【００１６】
【図１】本発明に係るシステムの第一の基本的な実施の形態を示す図である。
【図２】本発明に係るシステムの第二の好適な実施の形態を示す図である。
【図１】
2007526707.tif 000003
【図２】
2007526707.tif 000004
【国際調査報告】
2007526707.tif 000005
2007526707.tif 000006